(57)【要約】  胴体部に座屈が発生することを抑制できるダストカバーを提供する。  ボールジョイントに適用されるダストカバー１００であって、最小肉厚Ｔ１を有する第１胴体部１１２と、Ｔ１の１．９倍以上の最小肉厚Ｔ２を有する第２胴体部１１３と、屈曲部１１１と、を有する胴体部１１０と、胴体部１１０の第１端側に設けられ、ソケット２００に固定され、内部に補強環１２１を有する被固定部１２０と、弾性体単体で構成され、胴体部１１０の第２端側に設けられ、軸部３１０と結合部材４００に対してそれぞれ摺動自在なシール部１３０と、胴体部１１０とシール部１３０との間に設けられ、胴体部１１０に対してシール部１３０の首振り動作を可能とする首部１４０と、を有し、胴体部１１０と、被固定部１２０と、シール部１３０と、首部１４０は、一体に形成される、ダストカバー１００。
2020071032.tif 000002
【特許請求の範囲】
【請求項１】
軸部と球形部とを有するボールスタッドと、前記ボールスタッドを回転自在かつ揺動自在に支持するソケットと、前記球形部とは反対側の前記軸部に結合される結合部材と、を有するボールジョイントに適用されるダストカバーであって、
変形可能な胴体部であって、
最小肉厚Ｔ１を有する第１胴体部と、
前記最小肉厚Ｔ１の１．９倍以上の最小肉厚Ｔ２を有する第２胴体部と、
前記第１胴体部と前記第２胴体部との間に位置する屈曲部と、
を有する胴体部と、
前記胴体部の第１端側に設けられ、前記ソケットに固定される被固定部であって、内部に補強環を有する被固定部と、
弾性体単体で構成され、前記胴体部の第２端側に設けられるシール部であって、前記軸部と前記結合部材に対してそれぞれ摺動自在なシール部と、
前記胴体部と前記シール部との間に設けられ、前記胴体部に対して前記シール部の首振り動作を可能とする首部と、
を有し、
前記胴体部と、前記被固定部と、前記シール部と、前記首部は、一体に形成される、
ダストカバー。
【請求項２】
外力を受けていない状態におけるダストカバーの中心軸線を含む断面において、前記屈曲部の外周面側の曲率半径が５ｍｍ以下である、
請求項１に記載のダストカバー。
【請求項３】
前記シール部は、径方向内側に向かって突出する環状突起である内周シール部を有する、
請求項１又は２に記載のダストカバー。
【請求項４】
前記内周シール部は、前記軸部に摺動自在である、
請求項３に記載のダストカバー。
【請求項５】
前記シール部は、前記結合部材に向かいつつ、径方向外側に向かって延びるダストリップを有する、
請求項１〜４のいずれかに記載のダストカバー。
【請求項６】
前記シール部は、前記結合部材に向かって突出する環状突起である補助シール部を有する、
請求項１〜５のいずれかに記載のダストカバー。
【発明の詳細な説明】
【技術分野】
【０００１】
本発明は、ボールジョイントに用いられるダストカバーに関する。
【背景技術】
【０００２】
従来、車両などの各種装置に備えられるボールジョイントにおいては、ジョイント部への水やダストなどの侵入を防止し、かつジョイント部からのグリースの流出を防止するためにダストカバーが用いられる。図３及び図４を参照して、従来例（特開２０００−２３０５４０号公報）のボールジョイントに用いられるダストカバーについて説明する。図３は、従来例のダストカバーの模式的断面図である。図４は、従来例のダストカバーの使用時の状態を示す模式的断面図の一部拡大図である。なお、図４において、ボールジョイントの一部を点線で示す。【０００３】
ボールジョイントは、ボールスタッド３００と、ソケット（不図示）と、ナックル４００とを有する。ソケットは、ボールスタッド３００を回転かつ揺動自在に支持する。ナックル４００は、ボールスタッド３００に結合される。
ダストカバー７００は、胴体部７１０と、被固定部７２０と、シール部７３０とを一体に有する。胴体部７１０は、変形可能な膜状である。被固定部７２０は、胴体部７１０の一端側に設けられ、ソケットに固定される。シール部７３０は、胴体部７１０の他端側に設けられる。ダストカバー７００の本体は、ゴムなどの弾性体で構成される。被固定部７２０は、内部に、補強環７２１を有する。シール部７３０は、ボールスタッド３００とナックル４００の双方に対して摺動自在である。【０００４】
ソケットに対してボールスタッド３００が揺動しても回転しても、ダストカバー７００によりシール機能が発揮される。つまり、ソケットに対してボールスタッド３００が揺動すると、胴体部７１０が変形し、シール部７３０は、ボールスタッド３００及びナックル４００に対して接触状態を維持する。また、ソケットに対してボールスタッド３００が回転すると、シール部７３０は、ボールスタッド３００及びナックル４００に対して摺動しながら接触状態を維持する。【０００５】
しかし、ソケットに対してボールスタッド３００が大きく揺動する場合、胴体部７１０が座屈することがある。被固定部７２０とシール部７３０との間の中央付近の胴体部７１０には、屈曲部７１１が設けられる。屈曲部７１１により、ボールスタッド３００が傾いた際、胴体部７１０が、図４中、点線７１０Ａに示す状態となる。しかし、使用環境によっては、胴体部７１０が実線で示すような状態となり、座屈Ｘが生じることがある。座屈Ｘが生じると、応力が集中し、また、胴体部７１０の内周面側がボールスタッド３００と摺動してしまうなどにより、ダストカバー７００の耐久寿命が短くなる。【０００６】
座屈Ｘは、被固定部７２０の内部に補強環７２１が設けられ、かつ、シール部７３０がゴムなどの弾性体単体で構成されるダストカバー７００において、屈曲部７１１よりもシール部７３０側で発生し易い。
【発明の概要】
【発明が解決しようとする課題】
【０００７】
本発明は、胴体部に座屈が発生することを抑制できるダストカバーを提供することを目的とする。
【課題を解決するための手段】
【０００８】
本発明のダストカバーは、
軸部と球形部とを有するボールスタッドと、前記ボールスタッドを回転自在かつ揺動自在に支持するソケットと、前記球形部とは反対側の前記軸部に結合される結合部材と、を有するボールジョイントに適用されるダストカバーであって、
変形可能な胴体部であって、
最小肉厚Ｔ１を有する第１胴体部と、
前記最小肉厚Ｔ１の１．９倍以上の最小肉厚Ｔ２を有する第２胴体部と、
前記第１胴体部と前記第２胴体部との間に位置する屈曲部と、
を有する胴体部と、
前記胴体部の第１端側に設けられ、前記ソケットに固定される被固定部であって、内部に補強環を有する被固定部と、
弾性体単体で構成され、前記胴体部の第２端側に設けられるシール部であって、前記軸部と前記結合部材に対してそれぞれ摺動自在なシール部と、
前記胴体部と前記シール部との間に設けられ、前記胴体部に対して前記シール部の首振り動作を可能とする首部と、
を有し、
前記胴体部と、前記被固定部と、前記シール部と、前記首部は、一体に形成される。
【発明の効果】
【０００９】
本発明のダストカバーによれば、胴体部に座屈が発生することを抑制できる。
【図面の簡単な説明】
【００１０】
【図１】実施形態のボールジョイント及びボールジョイントに装着されるダストカバーの模式的断面図
【図２】実施形態のダストカバーの模式的断面図
【図３】従来例のダストカバーの模式的断面図
【図４】従来例のダストカバーの使用時の状態を示す模式的断面図の一部拡大図
【発明を実施するための形態】
【００１１】
以下、図面を参照して、実施形態のダストカバーを例示的に詳しく説明する。ただし、実施形態に記載される構成部品の寸法、材質、形状、その相対配置などは、特に特定的な記載がない限りは、それらのみに限定する趣旨のものではない。
【００１２】
＜実施形態＞
図１及び図２を参照して、実施形態のボールジョイント及びボールジョイントに装着されるダストカバーについて説明する。図１は、実施形態のボールジョイント及びボールジョイントに装着されるダストカバーの模式的断面図である。なお、図１は、ボールジョイントが有するボールスタッドの軸部の中心軸線を含む面でダストカバー等を切断した断面図を示す。図２は、実施形態のダストカバーの模式的断面図である。図２は、ダストカバーに外力が作用していない状態を示す。ダストカバーに外力が作用していない状態において、ダストカバーは回転対称形状である。図２は、ダストカバーに外力が作用していない状態において、ダストカバーの中心軸線を含む面でダストカバーを切断した断面図を示す。
【００１３】
（ボールジョイント）
図１を参照して、本実施形態のダストカバーを適用可能なボールジョイントの一例を説明する。ボールジョイントは、ボールスタッド３００と、ソケット２００と、ナックル４００とを有する。ソケット２００は、ボールスタッド３００を回転かつ揺動自在に支持する。ナックル４００は、ボールスタッド３００の軸部３１０と結合する結合部材である。
【００１４】
ボールスタッド３００は、軸部３１０の一端に球形部３２０を有する。ソケット２００は、環状のケース２１０と、底板２２０と、球形部３２０の軸受２３０とを有する。底板２２０は、ケース２１０の底側に固定される。軸受２３０は、軸受面２３１を有する。軸受面２３１は、球形部３２０の曲率半径と同径の球形状の面である。ナックル４００は、球形部３２０とは反対側の軸部３１０において、ナット５００によって、軸部３１０と結合される。
【００１５】
ボールジョイントには、ジョイント部への水やダストなどの侵入を防止し、かつジョイント部からのグリースの流出を防止するためにダストカバー１００が適用される。
【００１６】
（ダストカバー）
図２を参照して、実施形態のダストカバー１００について説明する。ダストカバー１００は、変形可能な胴体部１１０と、被固定部１２０と、シール部１３０と、首部１４０とを有する。被固定部１２０は、胴体部１１０の第１端側に設けられる。シール部１３０は、胴体部１１０の第２端側に設けられる。首部１４０は、胴体部１１０とシール部１３０との間に設けられる。胴体部１１０と被固定部１２０とシール部１３０と首部１４０は、一体に形成される。被固定部１２０は、内部に、補強環１２１を有する。補強環１２１は、金属などにより構成される。補強環１２１を除いて、ダストカバー１００は、全て、ゴムなどの弾性体で構成される。すなわち、シール部１３０は、弾性体単体で構成される。
【００１７】
被固定部１２０は、ソケット２００に固定される。補強環１２１により、被固定部１２０はソケット２００に対して圧入（嵌合）により固定できる。
【００１８】
シール部１３０は、ボールスタッド３００の軸部３１０と、ナックル４００に対して、それぞれ摺動自在である。より具体的には、シール部１３０は、内周シール部１３１ａ，１３１ｂと、ダストリップ１３２と、補助シール部１３３とを有する。内周シール部１３１ａ，１３１ｂは、ボールスタッド３００の軸部３１０に摺動自在である。ダストリップ１３２と補助シール部１３３は、ナックル４００に対して摺動自在である。内周シール部１３１ａ，１３１ｂは、それぞれ、径方向内側に向かって突出する環状突起である。ダストリップ１３２は、ナックル４００に向かいつつ、径方向外側に向かって延びる。補助シール部１３３は、ナックル４００に向かって突出する環状突起である。
【００１９】
首部１４０は、胴体部１１０に対してシール部１３０の首振り動作を可能とする。首部１４０によって、シール部１３０の内部に補強環が設けられておらず、かつ、シール部１３０の外周面を締め付ける部材が設けられていなくても、シール部１３０が軸部３１０やナックル４００から離れることを抑制できる。
【００２０】
（胴体部）
胴体部１１０について、より詳細に説明する。本実施形態の胴体部１１０は、屈曲部１１１と、第１胴体部１１２と、第２胴体部１１３とを有する。第１胴体部１１２は、屈曲部１１１と被固定部１２０との間に設けられる。第２胴体部１１３は、屈曲部１１１と首部１４０との間に設けられる。第１胴体部１１２の最小肉厚をＴ１、第２胴体部１１３の最小肉厚をＴ２とすると、Ｔ２≧１．９×Ｔ１を満たす。また、外力を受けていない状態におけるダストカバー１００の中心軸線を含む断面において、屈曲部１１１の外周面側の曲率半径Ｒは５ｍｍ以下である。
【００２１】
本実施形態のダストカバー１００においては、ソケット２００に対してボールスタッド３００が揺動する（図１中、矢印Ｐ参照）と、胴体部１１０が変形する。また、ソケット２００に対してボールスタッド３００が回転する（図１中、矢印Ｑ参照）と、シール部１３０は、ボールスタッド３００の軸部３１０及びナックル４００に対して摺動する。これにより、ソケット２００に対してボールスタッド３００が揺動しても回転しても、ダストカバー１００によりシール機能が発揮される。
【００２２】
本実施形態のダストカバー１００によれば、Ｔ２≧１．９×Ｔ１を満たすため、第１胴体部１１２の剛性と、第２胴体部１１３の剛性の差が十分大きくなる。これにより、胴体部１１０が変形する場合に、より確実に屈曲部１１１で胴体部１１０が屈曲する。従って、胴体部１１０に座屈が生じることを抑制できる。特に、従来例においては、屈曲部よりもシール部側の部分（本実施形態の第２胴体部１１３の部分）で座屈が発生し易かった。これに対して、本実施形態のダストカバー１００の場合、第２胴体部１１３の剛性が第１胴体部１１２の剛性に比して十分大きいため、第２胴体部１１３で座屈が生じることをより確実に抑制できる。また、屈曲部１１１の外周面側の曲率半径Ｒが５ｍｍ以下であることにより、胴体部１１０が変形する場合に、より一層、屈曲部１１１で胴体部１１０が屈曲する。
【００２３】
以上のように、本実施形態によれば、胴体部１１０に座屈が生じることを抑制し、胴体部１１０の一部に応力が集中することを抑制できる。また、胴体部１１０の内周面がボールスタッド３００に摺動することも抑制できる。従って、ダストカバー１００の耐久寿命を延ばすことができる。
【符号の説明】
【００２４】
１００  ダストカバー
１１０  胴体部
１１１  屈曲部
１１２  第１胴体部
１１３  第２胴体部
１２０  被固定部
１２１  補強環
１３０  シール部
１３１ａ，１３１ｂ  内周シール部
１３２  ダストリップ
１３３  補助シール部
１４０  首部
２００  ソケット
２１０  ケース
２２０  底板
２３０  軸受
２３１  軸受面
３００  ボールスタッド
３１０  軸部
３２０  球形部
４００  ナックル
５００  ナット
【図１】
2020071032.tif 000003
【図２】
2020071032.tif 000004
【図３】
2020071032.tif 000005
【図４】
2020071032.tif 000006
【国際調査報告】
2020071032.tif 000007
2020071032.tif 000008
2020071032.tif 000009
2020071032.tif 000010